(57)【要約】【課題】ＴＶ番組録画再生装置において、録画されたＴＶ番組の中から所望のＴＶ番組の検索を容易に行うことができ、ユーザにとって使い勝手が良いようにする。【解決手段】ＴＶ番組録画再生装置に録画されたＴＶ番組を検索するとき、ユーザによって項目欄６１の「予約リスト」が選択されると、予約リスト内に登録されているＴＶ番組のタイトル「ＡＡＡ」、「ＢＢＢ」、及び「ＣＣＣ」がディスプレイ上のタイトル欄６４〜６６に表示される。ここでタイトル欄６４の「ＡＡＡ」が選択されたとすると、選択されたタイトルに対応するＴＶ番組の録画ファイルが、ＨＤＤに録画されたＴＶ番組の録画ファイルの中から検索され、検索されたＴＶ番組の録画ファイルの録画日付がディスプレイに表示される。ユーザによって、この中から所望の録画日付が選択されると、選択されたＴＶ番組の録画ファイルが再生される。【選択図】図６
2009118225.tif 000002
【特許請求の範囲】
【請求項１】
テレビジョン（以下、ＴＶという）番組の情報を含むテレビ放送信号（以下、ＴＶ放送信号という）を受信するチューナと、
前記チューナにより受信されたＴＶ番組を録画ファイルとして記録媒体に録画する記録手段と、
前記ＴＶ番組の録画日時やタイトルの情報を含む予約録画番組リストを作成する予約録画番組リスト作成手段と、
前記ＴＶ番組を表示するための表示手段と、
前記録画ファイルに基き前記ＴＶ番組を再生するための再生手段と、
装置各部を制御する制御手段とを備え、
前記記録手段は前記予約録画番組リストの内容に基いて前記ＴＶ番組の予約録画を行うＴＶ番組録画再生装置において、
前記予約録画番組リストに含まれるＴＶ番組のタイトルの情報を前記表示手段に表示させて、再生対象となるＴＶ番組のタイトルの選択を促すタイトル選択促進手段と、
前記タイトル選択促進手段により前記表示手段に表示されたＴＶ番組のタイトルの中からユーザが所望のタイトルを選択するためのタイトル選択手段と、
前記タイトル選択手段を用いてユーザにより所望のタイトルが選択されたとき、選択されたタイトルに対応するＴＶ番組の録画ファイルを前記記録媒体に録画されたＴＶ番組の録画ファイルの中から検索し、検索されたＴＶ番組の録画ファイルの一覧を前記表示手段に表示させて録画ファイルの選択を促す録画ファイル選択促進手段と、
前記録画ファイル選択促進手段により前記表示手段に表示されたＴＶ番組の録画ファイルの一覧の中からユーザが所望の録画ファイルを選択するための録画ファイル選択手段とをさらに備え、
前記制御手段は、前記録画ファイル選択手段により、選択されたＴＶ番組の録画ファイルに基き、該ＴＶ番組を前記再生手段により再生することを特徴とするＴＶ番組録画再生装置。
【請求項２】
前記録画ファイル選択促進手段は、前記ＴＶ番組の録画ファイルの一覧として、前記ＴＶ番組の録画ファイルの録画日付の一覧を前記表示手段に表示することを特徴とする請求項１に記載のＴＶ番組録画再生装置。
【発明の詳細な説明】
【技術分野】
【０００１】
本発明は、ＴＶ番組録画再生装置に関し、特にユーザが所望のＴＶ番組を検索しやすくする技術に関する。
【背景技術】
【０００２】
従来から、チューナを介して受信したテレビ放送信号（以下、ＴＶ放送信号という）に含まれるテレビジョン（以下、ＴＶという）番組をハードディスクドライブ（以下、ＨＤＤという）に録画可能なハードディスクレコーダが知られている（例えば、特許文献１乃至特許文献５参照）。この種のハードディスクレコーダでは、ＨＤＤの大容量化に伴い、大量のＴＶ番組を録画することができるようになった。しかし、ユーザにとって、大量に録画されたＴＶ番組の中から再生したいＴＶ番組を探すことが非常に困難であり、使い勝手が悪いという問題がある。
【０００３】
また、再生していないＴＶ番組の中から所望のＴＶ番組の検索を行うＴＶ番組の検索方法が知られている。しかし、この検索方法では、Ａさんが間違えてＴＶ番組の再生を行った場合、「再生済み」と記録されるので、このＴＶ番組を視聴したいＢさんはこの検索方法によって検索することができないという問題がある。また、ＴＶ番組のタイトルを用いて検索を行う検索方法が知られている。しかし、この検索方法では、録画されているＴＶ番組のタイトル数が増加すると、ユーザにとってこの中から所望のＴＶ番組を探すことが困難になる。従って、これらの検索方法では、上記問題を解決できない。
【特許文献１】特開２００７−１８０８９７号公報
【特許文献２】特開２００５−４９５８号公報
【特許文献３】特開２００４−３３６４４３号公報
【特許文献４】特開２００３−７８４９３号公報
【特許文献５】特開２００６−２３８３９２号公報
【発明の開示】
【発明が解決しようとする課題】
【０００４】
本発明は、上述した問題点を解決するためになされたものであり、録画されたＴＶ番組の中から所望のＴＶ番組の検索を容易に行うことができ、ユーザにとって使い勝手が良いＴＶ番組録画再生装置を提供することを目的とする。
【課題を解決するための手段】
【０００５】
上記目的を達成するために請求項１の発明は、テレビジョン（以下、ＴＶという）番組の情報を含むテレビ放送信号（以下、ＴＶ放送信号という）を受信するチューナと、前記チューナにより受信されたＴＶ番組を録画ファイルとして記録媒体に録画する記録手段と、前記ＴＶ番組の録画日時やタイトルの情報を含む予約録画番組リストを作成する予約録画番組リスト作成手段と、前記ＴＶ番組を表示するための表示手段と、前記録画ファイルに基き前記ＴＶ番組を再生するための再生手段と、装置各部を制御する制御手段とを備え、前記記録手段は前記予約録画番組リストの内容に基いて前記ＴＶ番組の予約録画を行うＴＶ番組録画再生装置において、前記予約録画番組リストに含まれるＴＶ番組のタイトルの情報を前記表示手段に表示させて、再生対象となるＴＶ番組のタイトルの選択を促すタイトル選択促進手段と、前記タイトル選択促進手段により前記表示手段に表示されたＴＶ番組のタイトルの中からユーザが所望のタイトルを選択するためのタイトル選択手段と、前記タイトル選択手段を用いてユーザにより所望のタイトルが選択されたとき、選択されたタイトルに対応するＴＶ番組の録画ファイルを前記記録媒体に録画されたＴＶ番組の録画ファイルの中から検索し、検索されたＴＶ番組の録画ファイルの一覧を前記表示手段に表示させて録画ファイルの選択を促す録画ファイル選択促進手段と、前記録画ファイル選択促進手段により前記表示手段に表示されたＴＶ番組の録画ファイルの一覧の中からユーザが所望の録画ファイルを選択するための録画ファイル選択手段とをさらに備え、前記制御手段は、前記録画ファイル選択手段により、選択されたＴＶ番組の録画ファイルに基き、該ＴＶ番組を前記再生手段により再生するものである。
【０００６】
請求項２に記載の発明は、請求項１に記載のＴＶ番組録画再生装置において、前記録画ファイル選択促進手段は、前記ＴＶ番組の録画ファイルの一覧として、前記ＴＶ番組の録画ファイルの録画日付の一覧を前記表示手段に表示するものである。
【発明の効果】
【０００７】
本発明によれば、予約録画番組リストに含まれるＴＶ番組のタイトルを用いて、ＴＶ番組の検索を行うことができる。ここで、予約録画番組リストに含まれるＴＶ番組のタイトル数は、録画ファイルのタイトル（数）よりも少ないので、録画されたＴＶ番組の中から所望のＴＶ番組の検索を容易に行うことができ、ユーザにとって使い勝手が良い。
【発明を実施するための最良の形態】
【０００８】
以下、本発明の一実施形態に係るハードディスクレコーダ（ＴＶ番組録画再生装置）について、図１乃至図３を参照して説明する。図１は、ネットワーク対応テレビジョン受像機（以下、テレビという）２と、ハードディスクレコーダ３とを含むテレビジョン（以下、ＴＶという）番組録画再生システム１の概略を示し、図２は、テレビ２の内部構成を示すブロック図であり、図３は、ハードディスクレコーダ３の内部構成を示すブロック図である。テレビ２とハードディスクレコーダ３とはネットワークケーブル４を介して接続されている。
【０００９】
ハードディスクレコーダ３は、ＴＶ番組を録画ファイルとして記録する。テレビ２はネットワークケーブル４を介してハードディスクレコーダ３と通信可能であり、ハードディスクレコーダ３からＴＶ番組の録画ファイルを受信して、再生を行うことができる。
【００１０】
テレビ２とハードディスクレコーダ３とはＤＬＮＡ（Ｄｉｇｉｔａｌ  Ｌｉｖｉｎｇ  Ｎｅｔｗｏｒｋ  Ａｌｌｉａｎｃｅ）に対応しており、ネットワークケーブル４上のＤＬＮＡ対応機器の追加、又は削除を容易に行うことができる。
【００１１】
テレビ２は、図２に示すように、ＴＶ番組等の映像を表示するためのディスプレイ２１（表示手段）と、ＴＶ番組等の音声を出力するためのスピーカ２２と、各種操作を行うための操作部２３と、ネットワークケーブル４からＴＶ番組の録画ファイル等を受信するためのネットワークインタフェース２４とを備えている。
【００１２】
また、テレビ２は、テレビ２の装置各部の制御を行うための制御用マイコン２０と、制御用マイコン２０を動作させるためのプログラムを記憶するためのメモリ２５とをさらに備える。ハードディスクレコーダ３から出力されたＴＶ番組の録画ファイルの映像はディスプレイ２１にて、音声はスピーカ２２にて出力される。
【００１３】
ハードディスクレコーダ３は、図３に示すように、ＴＶ番組の情報を含む地上波デジタルテレビ放送信号（以下、デジタルＴＶ放送信号という）を受信するデジタルチューナ（チューナ）３５と、デジタルチューナ３５により受信されたＴＶ番組の録画ファイルが録画されるＨＤＤ（ハードディスクドライブ；請求項における記録媒体）３２と、ＴＶ番組の録画、又は再生等の操作をするためにユーザにより操作される操作部３１とを備える。
【００１４】
また、ハードディスクレコーダ３は、ＴＶ番組の予約録画開始時間等の判断を行うためのタイマ３６と、装置各部を制御する制御用マイコン（制御手段）３０と、制御用マイコン３０を動作させるプログラムが記憶されたメモリ３３と、ネットワークケーブル４にＴＶ番組の録画ファイルに基づく映像情報、及び音声情報を出力するネットワークインタフェース３４とをさらに備える。
【００１５】
メモリ３３には、ＴＶ番組の録画日時やタイトルの情報を含む予約リスト（予約録画番組リスト）が記憶されている。
【００１６】
制御用マイコン３０は、請求項における予約録画番組リスト作成手段、再生手段、制御手段、タイトル選択促進手段、タイトル選択手段、録画ファイル選択促進手段、録画ファイル選択手段として機能する。制御用マイコン３０は、予約リストの内容に基いてＴＶ番組の録画を指示する。
【００１７】
次に、予約録画番組登録の入力手順について、図４を参照して説明する。図４は、テレビ２のディスプレイ２１に表示された予約録画番組登録画面を示す。予約録画番組登録画面には、日時５１、時間５２、チャンネル５３、及びＴＶ番組のタイトル５４の入力欄が設けられ、ユーザによって各情報が入力される。ここでは、図４に示すように、ユーザによって、日時５１には「毎週月曜」、時間５２には「９〜１０時」、チャンネル５３には「８」、タイトル５４には「ＡＡＡ」がそれぞれ入力されたものとする。
【００１８】
予約録画番組登録画面で登録された予約録画情報は予約リストに登録される。制御用マイコン３０は、予約リストに示す日時と時間、及びタイマ３６が示す日時を用いて、指定の日時に予約録画を開始する。
【００１９】
次に、ハードディスクレコーダ３に録画されたＴＶ番組の検索手順について、図５乃至図７を参照して説明する。ここでは、上記図４と同様に、ハードディスクレコーダ３から出力される各種の情報がテレビ２のディスプレイ２１に表示されるものとする。まず、図５に示すように、ユーザは、ディスプレイ２１に表示された録画番組検索画面の中から所望の検索メニューを選択する。録画番組検索画面上の項目欄６１、６２、６３には、それぞれ予約リストに含まれるＴＶ番組のタイトルの一覧の表示を指示するための「予約リスト」と、未視聴の録画されたＴＶ番組（録画ファイル）の一覧表示を指示するための「ＮＥＷ」と、録画日付順にＨＤＤ３２上の録画ファイルの一覧を表示するように指示するための「日付」が表示されている。
【００２０】
ユーザによって項目欄６１の「予約リスト」のメニューが選択されると、図６に示すように、予約リスト内に登録されているＴＶ番組のタイトル「ＡＡＡ」、「ＢＢＢ」、及び「ＣＣＣ」がディスプレイ２１上のタイトル欄６４、６５、６６に表示される。この中からユーザは所望のタイトル６４〜６６を選択する。
【００２１】
ユーザによってタイトル欄６４の「ＡＡＡ」が選択されたとすると、制御用マイコン３０は、選択されたタイトルに対応するＴＶ番組の録画ファイルを、ＨＤＤ３２に録画されたＴＶ番組の録画ファイルの中から検索する。そして、検索されたＴＶ番組の録画ファイルの一覧として、ＴＶ番組の録画ファイルの録画日付の一覧をディスプレイ２１に表示する。
【００２２】
具体的には、図７に示すように、録画日付欄７１、７２、７３、７４に、それぞれ「２００７／８／６」、「２００７／８／１３」、「２００７／８／２０」、「２００７／８／２７」を表示する。ユーザによって、この中から所望の録画日付が選択されると、制御用マイコン３０は、選択されたＴＶ番組の録画ファイルに基き、録画ファイルを再生する。なお、ディスプレイ２１に表示される録画日付は、録画された日時を示す形式のもの、例えば、「２００７／８／６／ＰＭ１０：００」であってもよい。
【００２３】
上述したように、本実施形態に係るハードディスクレコーダ３によれば、予約リストに含まれるＴＶ番組のタイトル、又はタイトルと録画日付を用いて、ＴＶ番組の検索を行うことができる。ここで、予約リストに含まれるＴＶ番組のタイトル数は、ＨＤＤ３２内の録画ファイルのタイトル（数）よりも少ないので、録画されたＴＶ番組の中から所望のＴＶ番組の検索を容易に行うことができ、ユーザにとって使い勝手が良い。
【００２４】
なお、本発明は、上記実施形態の構成に限られず、発明の趣旨を変更しない範囲で種々の変形が可能である。例えば、上記実施形態では、テレビ２がハードディスクレコーダ３のＴＶ番組の検索画面等を表示することができる例を示したが、これに限られず、ＰＣ等にＴＶ番組の検索画面等を表示するものであってもよい。
【図面の簡単な説明】
【００２５】
【図１】本発明の一実施形態に係るテレビと、ハードディスクレコーダとを含むＴＶ番組録画再生システムの概略図。
【図２】上記テレビの内部構成を示すブロック図。
【図３】上記ハードディスクレコーダの内部構成を示すブロック図。
【図４】上記ネットワークプレーヤにおける予約録画番組登録画面を示す説明図。
【図５】上記ネットワークプレーヤにおけるＴＶ番組の検索手順を示す説明図。
【図６】上記ネットワークプレーヤにおけるＴＶ番組の検索手順を示す説明図。
【図７】上記ネットワークプレーヤにおけるＴＶ番組の録画ファイルの一覧を示す説明図。
【符号の説明】
【００２６】
２  テレビ
３  ハードディスクレコーダ
２１  ディスプレイ（表示手段）
３０  制御用マイコン（制御手段、予約録画番組リスト作成手段、再生手段、制御手段、タイトル選択促進手段、タイトル選択手段、録画ファイル選択促進手段、録画ファイル選択手段）
３２  ＨＤＤ（記録手段）
【図１】
2009118225.tif 000003
【図２】
2009118225.tif 000004
【図３】
2009118225.tif 000005
【図４】
2009118225.tif 000006
【図５】
2009118225.tif 000007
【図６】
2009118225.tif 000008
【図７】
2009118225.tif 000009